(57)【要約】 【課題】外部受信装置をリモート・コントロールするほか、この外部受信装置でテレビ放送を視聴しながらそのデータ放送内容を手元で確認できるようにする。 【解決手段】携帯電話装置１は、リモコンモード下でチャンネル選択を指示する左右のカーソルキーＫ３が操作された際に、その選択チャンネルを外部受信装置２に対して赤外線送信するほか、この選択チャンネルのデータ放送内容を携帯表示部ＭＤから表示出力する。 【選択図】図1
2008103868.tif 000002
【特許請求の範囲】
【請求項１】
データ放送が多重化されたデジタルテレビ放送を受信して出力する放送受信機能を有した携帯端末装置であって、
テレビ放送を受信して出力する外部受信装置をリモート・コントロールするリモコンモードを指定する指定手段と、
前記リモコンモード下においてチャンネル選択指示があった際に、その選択チャンネルを前記外部受信装置に対して送信出力するほか、この選択チャンネルのデータ放送内容を前記放送受信機能から取得して当該携帯端末側で出力する出力制御手段と、
を具備したことを特徴とする携帯端末装置。
【請求項２】
前記リモコンモード下においてチャンネル選択指示があった際に、前記放送受信機能でテレビ放送を現在受信中か否かを判別する判別手段を設け、
前記出力制御手段は、放送受信中にチャンネル選択指示があった際に、その選択チャンネルのデータ放送内容の出力に切り替える、
ようにしたことを特徴とする請求項1記載の携帯端末装置。
【請求項３】
データ放送が多重化されたデジタルテレビ放送を受信して出力する放送受信機能を有した携帯端末装置であって、
テレビ放送を受信して出力する外部受信装置をリモート・コントロールするリモコンモードを指定する指定手段と、
前記リモコンモード下でのリモコン指示操作に応じた指示信号を前記外部受信装置に送信した際に、前記放送受信機能の出力モードをデータ放送表示モードに切り替える切替手段と、
前記データ放送表示モードにおいて前記放送受信機能からデータ放送内容を取得して当該携帯端末側で出力する出力制御手段と、
を具備したことを特徴とする携帯端末装置。
【請求項４】
前記リモコン指示操作に応じた指示信号を前記外部受信装置に送信した際に、前記放送受信機能の出力モードを退避しておき、前記リモコンモードが解除された際に、前記放送受信機能の出力モードを前記退避されている元の出力モードに戻し、その出力モードにしたがった放送受信内容を当該携帯端末側で出力する、
ようにしたことを特徴とする請求項３記載の携帯端末装置。
【請求項５】
前記外部受信装置に対してリモコン指示操作に応じた指示信号を送信した場合に、前記放送受信機能によって現在受信中か否かを判別する判別手段を設け、
前記出力制御手段は、放送受信中にリモコン指示操作が行われた際に、受信中のチャンネルを前記外部受信装置に対して送信してチャンネル切り替えを指示する、
ようにしたことを特徴とする請求項３記載の携帯端末装置。
【請求項６】
データ放送が多重化されたデジタルテレビ放送を受信して出力する放送受信機能を有した携帯端末装置であって、
テレビ放送を受信して出力する外部受信装置をリモート・コントロールするリモコンモードを指定する指定手段と、
前記放送受信機能の起動時に、外部受信装置側のチャンネルを前記リモコンモードでのリモコン指示操作によって選択済みであるかを判別する判別手段と、
この判別手段によってチャンネル選択済みであることが判別された場合には、それと同一のチャンネルを選択したのち、この選択チャンネルのデータ放送内容を前記放送受信機能から取得して当該携帯端末側で出力する出力制御手段と、
を具備したことを特徴とする携帯端末装置。
【請求項７】
前記判別手段によって外部受信装置側のチャンネルが選択済みでないと判別された際に、所定のチャンネルの放送受信内容を携帯端末側で出力する、
ようにしたことを特徴とする請求項６記載の携帯端末装置。
【請求項８】
コンピュータに対して、
データ放送が多重化されたデジタルテレビ放送を受信して出力する機能と、
テレビ放送を受信して出力する外部受信装置をリモート・コントロールするリモコンモードを指定する機能と、
前記リモコンモード下においてチャンネル選択指示があった際に、その選択チャンネルを前記外部受信装置に対して送信出力するほか、この選択チャンネルのデータ放送内容を取得して携帯端末側で出力する機能と、
を実現させるためのプログラム。
【請求項９】
コンピュータに対して、
データ放送が多重化されたデジタルテレビ放送を受信して出力する機能と、
テレビ放送を受信して出力する外部受信装置をリモート・コントロールするリモコンモードを指定する機能と、
前記リモコンモード下においてリモコン指示操作に応じた指示信号を前記外部受信装置に送信した際に、出力モードをデータ放送表示モードに切り替える機能と、
前記データ放送表示モードにおいてデータ放送内容を取得して携帯端末側で出力する機能と、
を実現させるためのプログラム。
【請求項１０】
コンピュータに対して、
データ放送が多重化されたデジタルテレビ放送を受信して出力する機能と、
テレビ放送を受信して出力する外部受信装置をリモート・コントロールするリモコンモードを指定する機能と、
放送受信の起動時に、外部受信装置側のチャンネルを前記リモコンモードでのリモコン指示操作によって選択済みであるかを判別する機能と、
チャンネル選択済みであることが判別された場合には、それと同一のチャンネルを選択したのち、この選択チャンネルのデータ放送内容を取得して当該携帯端末側で出力する機能と、
を実現させるためのプログラム。
【発明の詳細な説明】
【技術分野】
【０００１】
この発明は、データ放送が多重化されたデジタルテレビ放送を受信して出力する放送受信機能を有した携帯端末装置及びプログラムに関する。
【背景技術】
【０００２】
近年、デジタルテレビ放送を受信して出力するテレビ機能付き携帯電話装置が普及してきている。デジタルテレビ放送では、映像・音声のみならず、データ放送部分も重畳されているので、必要に応じてデータ放送部分も表示させることができるが、小さな携帯画面で映像部分とデータ放送部分とを同時に表示させると、画面全体が煩雑化して非常に見ずらくなる。また、メニュー切り替えなどによって映像部分のみを表示させたり、データ放送部分のみを表示させことも可能であるが、その何れか一方を表示させたら他方を見ることができなくなる。
【０００３】
このようなテレビ機能付き携帯電話装置には、従来、据置型のテレビ受像機（外部受信装置）をリモート・コントロールするテレビリモコン機能を備えたものも知られている（特許文献１参照）。また、テレビリモコン機能で外部受信装置のチャンネルを選択した際に、リモコン機能で外部受信装置の電源をオフした際に、そのときの外部受信装置側のチャンネルを携帯電話装置側（携帯側）で受信して表示するようにしたものが知られている（特許文献２参照）。
【特許文献１】特開２００４−２２８６３９号公報
【特許文献２】特開２００５−３９４９６号公報
【発明の開示】
【発明が解決しようとする課題】
【０００４】
しかしながら、上述した先行技術（特許文献１）にあっては、携帯側で視聴中のチャンネル情報を外部受信装置に送信することによって携帯側で視聴していた放送内容をそのまま外部受信装置側でも視聴可能となるが、携帯電話装置をリモコンとして機能させるだけであった。同様に、特許文献２にあっても、外部受信装置側のチャンネルを携帯側で受信することによって外部受信装置側で視聴していた放送内容をそのまま携帯側でも視聴可能となるが、携帯電話装置をリモコンとして機能させるだけであった。
【０００５】
この発明の課題は、外部受信装置をリモート・コントロールするほか、この外部受信装置でテレビ放送を視聴しながらそのデータ放送内容を手元で確認できるようにすることである。
【課題を解決するための手段】
【０００６】
請求項１記載の発明（第１の発明）は、データ放送が多重化されたデジタルテレビ放送を受信して出力する放送受信機能を有した携帯端末装置であって、テレビ放送を受信して出力する外部受信装置をリモート・コントロールするリモコンモードを指定する指定手段と、前記リモコンモード下においてチャンネル選択指示があった際に、その選択チャンネルを前記外部受信装置に対して送信出力するほか、この選択チャンネルのデータ放送内容を前記放送受信機能から取得して当該携帯端末側で出力する出力制御手段とを具備したことを特徴とする。
更に、コンピュータに対して、上述した請求項１記載の発明に示した主要機能を実現させるためのプログラムを提供する（請求項８記載の発明）。
【０００７】
なお、上述した請求項１記載の発明は、前記リモコンモード下においてチャンネル選択指示があった際に、前記放送受信機能でテレビ放送を現在受信中か否かを判別する判別手段を設け、前記出力制御手段は、放送受信中にチャンネル選択指示があった際に、その選択チャンネルのデータ放送内容の出力に切り替えるようにしてもよい（請求項２記載の発明）。
【０００８】
請求項３記載の発明（第２の発明）は、データ放送が多重化されたデジタルテレビ放送を受信して出力する放送受信機能を有した携帯端末装置であって、テレビ放送を受信して出力する外部受信装置をリモート・コントロールするリモコンモードを指定する指定手段と、前記リモコンモード下でのリモコン指示操作に応じた指示信号を前記外部受信装置に送信した際に、前記放送受信機能の出力モードをデータ放送表示モードに切り替える切替手段と、前記データ放送表示モードにおいて前記放送受信機能からデータ放送内容を取得して当該携帯端末側で出力する出力制御手段とを具備したことを特徴とする。
更に、コンピュータに対して、上述した請求項３記載の発明に示した主要機能を実現させるためのプログラムを提供する（請求項９記載の発明）。
【０００９】
なお、上述した請求項３記載の発明は、前記リモコン指示操作に応じた指示信号を前記外部受信装置に送信した際に、前記放送受信機能の出力モードを退避しておき、前記リモコンモードが解除された際に、前記放送受信機能の出力モードを前記退避されている元の出力モードに戻し、その出力モードにしたがった放送受信内容を当該携帯端末側で出力するようにしてもよい（請求項４記載の発明）。また、前記外部受信装置に対してリモコン指示操作に応じた指示信号を送信した場合に、前記放送受信機能によって現在受信中か否かを判別する判別手段を設け、前記出力制御手段は、放送受信中にリモコン指示操作が行われた際に、受信中のチャンネルを前記外部受信装置に対して送信してチャンネル切り替えを指示するようにしてもよい（請求項５記載の発明）。
【００１０】
請求項６記載の発明（第３の発明）は、データ放送が多重化されたデジタルテレビ放送を受信して出力する放送受信機能を有した携帯端末装置であって、テレビ放送を受信して出力する外部受信装置をリモート・コントロールするリモコンモードを指定する指定手段と、前記放送受信機能の起動時に、外部受信装置側のチャンネルを前記リモコンモードでのリモコン指示操作によって選択済みであるかを判別する判別手段と、この判別手段によってチャンネル選択済みであることが判別された場合には、それと同一のチャンネルを選択したのち、この選択チャンネルのデータ放送内容を前記放送受信機能から取得して当該携帯端末側で出力する出力制御手段とを具備したことを特徴とする。
更に、コンピュータに対して、上述した請求項６記載の発明に示した主要機能を実現させるためのプログラムを提供する（請求項１０記載の発明）。
【００１１】
なお、上述した請求項６記載の発明は、前記判別手段によって外部受信装置側のチャンネルが選択済みでないと判別された際に、所定のチャンネルの放送受信内容を当該携帯端末側で出力するようにしてもよい（請求項７記載の発明）。
【発明の効果】
【００１２】
第１の発明は、放送受信機能に対するチャンネル選択と外部受信装置に対するチャンネル選択を兼ねることができるほか、外部受信装置で放送内容を視聴しつつ、手元の携帯端末で同一チャンネルのデータ放送内容を確認することができる。
【００１３】
第２の発明は、外部受信装置で放送内容の視聴開始に伴い、手元の携帯端末でそのデータ放送内容を確認することができる。
【００１４】
第３の発明は、放送受信機能に対するチャンネル選択と外部受信装置に対するチャンネル選択を兼ねることができるほか、外部受信装置で放送内容を視聴しつつ、手元の携帯端末で同一チャンネルのデータ放送内容を確認することができる。
【発明を実施するための最良の形態】
【００１５】
以下、図１〜図１０を参照して本発明の実施例を説明する。
この実施例は、携帯端末装置としてテレビ（ＴＶ）受信機能付きの携帯電話装置に適用した場合で、図１は、このＴＶ受信機能付き携帯電話装置１が据置型のＴＶ受像機（外部受信装置）２を赤外線通信によってリモート・コントロールする場合の状態図である。
携帯電話装置１は、２つの筐体（操作部筐体１Ａ、表示部筐体１Ｂ）が開閉可能に取り付けられた折り畳み自在なもので、通話機能、電子メール機能、インターネット接続機能（Ｗｅｂアクセス機能）などのほか、ＴＶ受信機能、ＴＶリモコン機能を備えている。
【００１６】
ＴＶ受信機能は、データ放送が多重化されたデジタルテレビ放送を受信するもので、データ放送を受信することによって番組に関する各種の情報を入手したり、投票などにも視聴者が自由に参加することが可能となっている。ＴＶリモコン機能は、外部受信装置２を赤外線通信によってリモート・コントロールするもので、２つの筐体を開いた状態において、操作部筐体１Ａ上の所定キーを操作することによって外部受信装置２に対してリモコン指示信号（電源ＯＮ／ＯＦＦ信号あるいはチャンネル信号など）を送信する構成となっている。なお、２つの筐体を開いた状態において、外部受信装置２側に指向する表示部筐体１Ｂの上端部には赤外線発光部Ｒ１が配置され、また、外部受信装置２の前面部には、赤外線受光部Ｒ２が配置されている。また、操作部筐体１Ａ上には、ＴＶ受信機能を起動させるＴＶキーＫ１、ＴＶリモコン機能を起動させるリモコンキーＫ２、上下左右のカーソルキー（方向キー）Ｋ３、それらの中心部に配置されている決定キーＫ４、ダイヤルキーＫ５などが設けられている。
【００１７】
また、表示部筐体１Ｂには、携帯表示部ＭＤのほか、機能名表示部ＦＤが設けられている。携帯表示部ＭＤは、文字、映像などを高品位に表示するもので、ＴＶ受信機能の動作時にはＴＶ画面として使用され、ＴＶリモコン機能の動作時にはリモコン画面として使用される。機能名表示部ＦＤは、携帯表示部ＭＤがＴＶ画面／リモコン画面として使用される場合に、左右のカーソルキーＫ３の機能名を表示したり、決定キーＫ４の機能名を表示する。なお、ＴＶ受信機能の動作時及びＴＶリモコン機能の動作時に左右のカーソルキーＫ３は、チャンネル選択キーとして機能し、また、ＴＶリモコン機能の動作時に決定キーＫ４は、外部受信装置２の電源オン／オフキーとして機能する。
【００１８】
図２は、ＴＶ受信機能付き携帯電話装置１の基本的な構成要素を示したブロック図である。
ＣＰＵ１１は、記憶部１２内の各種のプログラムに応じてこの携帯電話装置の全体動作を制御する中核的な中央演算処理装置である。記憶部１２は、内部メモリであり、プログラム領域とデータ領域とを有し、このプログラム領域には、後述する図６〜図１０に示す動作手順に応じて本実施例を実現するためのプログラムが格納されている。外部記録メディア１３は、着脱自在な可搬型メモリで、録画コンテンツなど、各種のデータ・プログラムを外部供給するもので、例えば、ＳＤカード、ＩＣカードなどによって構成されている。メモリ１４は、ワーク領域を有する内部メモリであり、必要に応じてメモリ１４内の各種のデータは、記憶部１２にセーブされる。
【００１９】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信号に符号化したのちに送受信部の送信側に与えられてアンテナから発信出力させる。一方、インターネット接続機能などによって電話通信部１５を介して受信取得した映像コンテンツは、表示制御部１９を介して携帯表示部ＭＤに与えられて表示出力される。
【００２０】
キー操作部２０は、ダイヤル入力、文字入力、コマンド入力などを行うもので、このキー操作部２０には、上述したＴＶキーＫ１、リモコンキーＫ２、上下左右のカーソルキーＫ３、決定キーＫ４、ダイヤルキーＫ５などが設けられており、ＣＰＵ１１は、キー操作部２０からのキー入力信号に応じた処理を実行する。ＴＶ放送受信部２１は、データ放送が多重化された地上波デジタルＴＶ放送を受信するもので、ＴＶ映像及び音声情報以外にも電子番組表(ＥＰＧ)なども含めて受信可能である。
【００２１】
すなわち、ＴＶ放送受信部２１は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データに分離して復号化したり、圧縮データの解凍などを行うデジタル回路部を有するもので、ＴＶ映像データ及び文字データなどは、携帯表示部ＭＤから表示出力され、また、ＴＶ音声データは、サウンドスピーカ２２から出力される。リモコン用赤外線通信部２３は、外部受信装置２をリモート・コントロールするもので、リモコン指示信号として、電源ＯＮ／ＯＦＦ信号、チャンネル信号、音量調整信号などを赤外線送信する。
【００２２】
図３は、各種のチャンネル情報と各種の動作モードを説明するための図である。
メモリ１４には、現在の選択チャンネルを示す「携帯ＴＶチャンネル」、「リモコンチャンネル」と、リモコンモードとしての「リモコンモード（０）」、「リモコンモード（１）」と、ＴＶ受信機能の出力モード（ＴＶ出力モード）としての「映像・音声モード」、「データ放送モード」が記憶保持されている。「携帯ＴＶチャンネル」は、前回選択したＴＶ受信機能側のチャンネル情報であり、チャンネル切り替え操作に応じてその値は更新される。「リモコンチャンネル」は、外部受信装置２側のチャンネル情報であり、リモコン操作によって外部受信装置２の電源オンさせた際には、予め設定されているデフォルトチャンネルがセットされる。なお、ユーザ操作によってデフォルトチャンネルを任意に変更可能としてもよい。
【００２３】
「リモコンモード（０）」は、外部受信装置２に対して何もリモコン指示を与えていないリモコン未指示状態を示し、リモコンキーＫ２の操作によってリモコンモードに切り替えてから外部受信装置２側の電源をオンするまでの間の状態（リモコン待機状態）を示している。「リモコンモード（１）」は、外部受信装置２に対してリモコン指示済みの状態を示し、リモコン操作によって外部受信装置２側の電源をオンさせたのちの状態を示している。なお、「リモコンモード（０）」、「リモコンモード（１）」を総称して「リモコンモード」と呼称する。「映像・音声モード」は、携帯電話側でＴＶ映像と共にその音声を出力する通常の出力モードを示し、「データ放送モード」は、外部受信装置２側で出力中のＴＶ映像・音声に対して、携帯電話装置１側では、そのデータ放送内容を表示する特殊な出力モードを示している。
【００２４】
図４は、ＴＶキーＫ１、リモコンキーＫ２、決定キーＫ４の操作に応じて順次変遷する携帯画面を示した図である。
なお、携帯画面とは表示部筐体１Ｂ上の携帯表示部ＭＤのほか、機能名表示部ＦＤを含むものとする。図４（Ａ）は、ＴＶキーＫ１の操作によってＴＶ放送受信部２１を起動させた場合の携帯画面を示している。この場合、携帯表示部ＭＤには「携帯ＴＶチャンネル」で示される現チャンネルの放送内容が映像表示され、その上端側のガイダンス表示部ＭＤＧにはＴＶ出力モードにセットされたことを示す「ＴＶ」と、「携帯ＴＶチャンネル」の内容（図示の例では６ＣＨ）が表示されている。
【００２５】
また、機能名表示部ＦＤには、携帯ＴＶ用のチャンネル選択キーとして機能する左右のカーソルキーＫ３の機能名を示す「＋ＣＨ」、「−ＣＨ」が表示される。「＋ＣＨ」は、右カーソルキーの機能としてチャンネルをプラス方向（順方向）に順次選択するキーであることを示し、「−ＣＨ」は、左カーソルキーの機能としてチャンネルをマイナス方向（逆方向）に順次選択するキーであることを示している。
【００２６】
図４（Ｂ）は、ＴＶ放送受信部２１の駆動中（携帯ＴＶ受信中）において、リモコンキーＫ２の操作によってＴＶリモコン機能を起動させた場合の携帯画面を示している。この場合、ガイダンス表示部ＭＤＧには、上述した「ＴＶ」、「６ＣＨ」のほか、リモコンモードにセットされたことを示す「リモコン」が表示される。また、機能名表示部ＦＤの表示内容は、上述のＴＶ出力モードからリモコンモードに切り替わり、リモコン用の機能を示す「−ＣＨ」、「電源ＯＮ」、「＋ＣＨ」が表示される。
【００２７】
「＋ＣＨ」は、右カーソルキーの機能として外部受信装置２側のチャンネルを順方向に順次選択するキーであることを示し、「−ＣＨ」は、左カーソルキーの機能として外部受信装置２側のチャンネルを逆方向に順次選択するキーであることを示している。また、「電源ＯＮ」は、決定キーＫ４の機能として外部受信装置２側の電源をオンするキーであることを示している。図４（Ｂ）は、リモコンキーＫ２を操作したのち、外部受信装置２に対して何のリモコン指示も与えていない未リモコン指示状態（外部受信装置２側の電源をオンしていない状態）の携帯画面を示し、このリモコン未指定状態が上述した「リモコンモード（０）」となる。
【００２８】
携帯ＴＶ受信中に決定キーＫ４の操作で外部受信装置２側の電源をオンさせると、ＣＰＵ１１は、「携帯ＴＶチャンネル」で示される現在のチャンネル情報を赤外線送信してその放送内容を外部受信装置２側に受信出力させる。この場合、携帯表示部ＭＤには、「携帯ＴＶチャンネル」で示される現チャンネルの映像表示に代わって、そのデータ放送内容が表示され、また、そのガイダンス表示部ＭＤＧには、上述した「ＴＶ」、「６ＣＨ」、「リモコン」が表示される。
【００２９】
また、機能名表示部ＦＤには、上述の「リモコンモード（０）」から「リモコンモード（１）」に切り替わることによって「−ＣＨ」、「電源ＯＦＦ」、「＋ＣＨ」が表示される。「電源ＯＦＦ」は、決定キーＫ４の機能として外部受信装置２側の電源をオフするキーであることを示している。図４（Ｃ）は、リモコンモードにおいて外部受信装置２に対してリモコン指示を与えたのちのリモコン指示済み状態を示し、この状態が上述した「リモコンモード（１）」となる。
【００３０】
図４（Ｄ）は、図４（Ｃ）に示す状態において、リモコン操作によって外部受信装置２側のチャンネルを切り替えた場合の携帯画面を示している。ＣＰＵ１１は、左右カーソルキーを操作して任意のチャンネルを選択すると、新たなチャンネル情報を赤外線送信して外部受信装置２側のチャンネルの切り替えを指示する。この場合、携帯表示部ＭＤには、新たに選択されたチャンネルのデータ放送内容が表示され、また、そのガイダンス表示部ＭＤＧには、新たなチャンネル情報が表示される。なお、この図４（Ｄ）に示す状態において、決定キーＫ４を操作して外部受信装置２側の電源をオフすると、リモコンモードが解除されて図４（Ａ）の状態に戻される。
【００３１】
図５は、ＴＶ放送受信部２１の非駆動状態（携帯ＴＶオフ状態）でリモコンキーＫ２、決定キーＫ４、ＴＶキーＫ１の操作に応じて順次変遷する携帯画面を示した図である。
図５（Ａ）は、リモコンキーＫ２の操作によってＴＶリモコン機能を起動させた場合の携帯画面を示している。この場合、携帯表示部ＭＤにはリモコン待機中である旨のメッセージなどが表示されるほか、そのガイダンス表示部ＭＤＧには、上述した「リモコン」が表示される。また、機能名表示部ＦＤは、「リモコンモード（０）」の表示内容となり、「−ＣＨ」、「電源ＯＮ」、「＋ＣＨ」が表示される。
【００３２】
図５（Ｂ）は、決定キーＫ４の操作で外部受信装置２側の電源をオンした場合の携帯画面を示している。このようにリモコン操作で外部受信装置２側の電源をオンすると、予め設定されているデフォルトチャンネルが「リモコンチャンネル」にセットされると共に、このチャンネル情報（図示の例では８ＣＨ）を外部受信装置２に赤外線送信してその放送内容を外部受信装置２側に出力させる。この場合、携帯表示部ＭＤには、予め設定されているデフォルトチャンネルが「リモコンチャンネル」にセットされて案内表示される。また、機能名表示部ＦＤは、「リモコンモード（１）」の表示内容となり、「−ＣＨ」、「電源ＯＦＦ」、「＋ＣＨ」が表示される。
【００３３】
図５（Ｃ）は、図５（Ｂ）に示す状態において、リモコン操作によって外部受信装置２側のチャンネルを切り替えた場合の携帯画面を示している。ＣＰＵ１１は、左右カーソルキーを操作して任意のチャンネルを選択すると、新たなチャンネル情報を赤外線送信して外部受信装置２に対してチャンネルの切り替えを指示する。この場合、携帯表示部ＭＤには、新たに選択されたチャンネル情報が案内表示される。なお、図５（Ｂ）あるいは（Ｃ）に示す状態において、決定キーＫ４を操作して外部受信装置２側の電源をオフすると、「リモコンモード」が解除される。
【００３４】
図５（Ｄ）は、「リモコンモード（１）」の状態でＴＶキーＫ１を操作した場合の携帯画面を示している。ＴＶキーＫ１の操作に応答してＴＶ放送受信部２１を駆動させ、「リモコンチャンネル」に基づいて外部受信装置２で視聴している同一のチャンネルを選局し、そのデータ放送内容を取得して表示させる。この場合、ガイダンス表示部ＭＤＧには、「ＴＶ」、「８ＣＨ」、「リモコン」が表示される。また、機能名表示部ＦＤには、「−ＣＨ」、「電源ＯＦＦ」、「＋ＣＨ」が表示される。なお、図５（Ｄ）に示す状態において、決定キーＫ４を操作して外部受信装置２側の電源をオフすると、「リモコンモード」が解除される。
【００３５】
次に、この実施例における携帯電話装置１の動作概念を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３６】
図６〜図１０は、電源投入に伴って実行開始される携帯電話装置１の全体動作を示したフローチャートである。
先ず、ＣＰＵ１１は、電話通信部１５を作動させて現在位置を登録する待受処理を行うと共に、所定の待受画像を読み出して表示出力させながら電話／メールの待受状態となる（ステップＳ１）。この状態において、電話／メール着信有りを検出すると（ステップＳ２でＹＥＳ）、着信メロディなどを発生出力させる着信報知を行うと共に、電話あるいはメールの着信処理を実行する(ステップＳ３)。また、待受状態において、何らかの操作が行われると（ステップＳ４でＹＥＳ）、それはＴＶキーＫ１であるかをチェックする（ステップＳ５）。
【００３７】
ここで、以下の動作を次の順序で説明するものとする。すなわち、（Ａ）‥‥ＴＶリモコン機能がオフされている場合における携帯ＴＶ受信中の動作、（Ｂ）‥‥ＴＶリモコン機能の起動時における動作、（Ｃ）‥‥「リモコンモード（０）」下での動作、（Ｄ）‥‥「リモコンモード（１）」下での動作を順次説明する。
【００３８】
ＴＶリモコン機能がオフされている場合における携帯ＴＶ受信中の動作について説明する。
先ず、ＴＶキーＫ１が操作されると（ステップＳ５でＹＥＳ）、「リモコンモード（１）」のセット有無をチェックするが（ステップＳ６）、いま、ＴＶリモコン機能がオフされ、リモコンモード（１）」がセットされていない状態でＴＶキーＫ１が操作された場合であるから（ステップＳ６でＮＯ）、ＴＶ放送受信部２１を駆動させると共に、前回選択されていた「携帯ＴＶチャンネル」を読み出し、このチャンネルのＴＶ放送受信を開始する（ステップＳ７）。
【００３９】
そして、ＴＶ出力モードとして「映像・音声モード」を選択したのち、放送受信内容を携帯表示部ＭＤから表示出力させる（ステップＳ８）。これによって携帯画面は、例えば、図４（Ａ）に示す状態となり、携帯表示部ＭＤにはＴＶ映像が表示され、ガイダンス表示部ＭＤＧには、「ＴＶ」のほか、現在のチャンネルとして「６ＣＨ」が表示され、機能名表示部ＦＤには、携帯ＴＶモード用の「−ＣＨ」、「＋ＣＨ」が表示される。
【００４０】
また、ＴＶキーＫ１以外のキーとして、リモコンキーＫ２が操作されたか（図７のステップＳ１１）、左右カーソルキーＫ３が操作されたか（ステップＳ１５）、決定キーＫ４が操作されたか（ステップＳ１６）、ＴＶ出力モード切替キー（図示せず）が操作されたかを判別し（ステップＳ１７）、その他のキーが操作されたときには（ステップＳ１７でＮＯ）、操作キー対応の処理として、電話発信処理、メール作成・送信処理などを実行する（ステップＳ２２）。
【００４１】
また、ＴＶ出力モード切替キーが操作されたときには（ステップＳ１７でＹＥＳ）、携帯ＴＶ受信中（ＴＶ放送受信部２１の動作中）であることを条件に（ステップＳ１８）、現在のセットモードは「映像・音声モード」であるかを調べ（ステップＳ１９）、「映像・音声モード」であれば、「データ放送モード」に切り替え（ステップＳ２１）、「データ放送モード」であれば（ステップＳ１９でＮＯ）、「映像・音声モード」に切り替える（ステップＳ２０）。
【００４２】
また、チャンネルを変更するために左右カーソルキーＫ３が操作されたときには（図７のステップＳ１５でＹＥＳ）、図８のフローに移り、携帯ＴＶ受信中かをチェックする（ステップＳ２３）。なお、携帯ＴＶオフ状態で左右カーソルキーＫ３が操作されたときには、「リモコンモード（１）」のセット有無をチェックするが（ステップＳ３３）、この場合、ＴＶリモコン機能のオフ状態では、「リモコンモード（１）」がセットされていないので、ステップＳ３７に移り、操作されたカーソルキーに対応する処理として、カーソル移動処理などを行う。例えば、図５（Ａ）に示す状態において、左右カーソルキーＫ３が操作されたとしても、当該操作は無効キーとして処理される。
【００４３】
携帯ＴＶ受信中の左右カーソルキーＫ３の操作であれば、ステップＳ２４に移り、「リモコンモード（１）」のセット有無をチェックするが、ＴＶリモコン機能がオフされている状態では、「リモコンモード（１）」がセットされていないので、ステップＳ３０に移り、左右カーソルキーＫ３の操作に応答して「携帯ＴＶチャンネル」の内容を「＋１」／「−１」させてその値を更新させる。これによって変更された新たなチャンネルのＴＶ放送受信を開始したのち（ステップＳ３１）、「映像・音声モード」のままの状態で、新たなチャンネルの放送受信内容を携帯表示部ＭＤから表示出力させる（ステップＳ３２）。
【００４４】
また、決定キーＫ４が操作されたときには（図７のステップＳ１６でＹＥＳ）、図９のフローに移り、携帯ＴＶ受信中かをチェックする（ステップＳ３８）。なお、携帯ＴＶオフ状態であれば、「リモコンモード」のセット有無をチェックし（図１０のステップＳ５５）、「リモコンモード」でなければ、決定キーＫ４の操作に応じて選択メニュー確定処理などを行う（ステップＳ６８）。いま、携帯ＴＶ受信中であるので（図９のステップＳ３８でＹＥＳ）、「リモコンモード」のセット有無をチェックするが（ステップＳ３９）、ＴＶリモコン機能のオフ状態では、「リモコンモード（１）」がセットされていないので、ＴＶ放送受信部２１の動作を停止させて携帯ＴＶの受信を終了させる（ステップＳ４９）。
【００４５】
次に、ＴＶリモコン機能の起動時における動作について説明する。
先ず、リモコンキーＫ２が操作されたときには（図７のステップＳ１１でＹＥＳ）、「リモコンモード（０）」にセットしたのち（ステップＳ１２）、携帯画面にリモコンモードを示す「リモコン」を案内表示させる（ステップＳ１３）。そして、機能名表示部ＦＤの表示内容は、リモコンモードとなり、「−ＣＨ」、「電源ＯＮ」、「＋ＣＨ」が表示され、決定キーＫ４は電源オンキーとして機能することが明示される（ステップＳ１４）。この場合、携帯ＴＶ受信中にリモコンキーＫ２が操作された際、携帯画面の内容は、例えば、図４（Ｂ）に示す状態となる。また、携帯ＴＶオフ状態でリモコンキーＫ２が操作された際にも、上述の動作が実行される結果（図７のステップＳ１１〜Ｓ１４）、携帯画面の内容は、例えば、図５（Ａ）に示す状態となる。
【００４６】
次に、「リモコンモード（０）」下における動作を左右カーソルキーＫ３が操作された場合、決定キーＫ４が操作された場合に分けてそれぞれ説明する。
いま、携帯ＴＶ受信中に左右カーソルキーＫ３が操作されたときには、図８のステップＳ２４に移り、「リモコンモード（１）」のセット有無をチェックするが、いま、リモコンキーＫ２の操作後では「リモコンモード（０）」にセットされており、外部受信装置２に対して何もリモコン指示を与えていないリモコン未指示状態にあるので、上述した場合と同様、ステップＳ３０〜Ｓ３２が実行され、携帯ＴＶ側のチャンネル変更が行われる。
【００４７】
また、外部受信装置２の電源をオンさせるために決定キーＫ４が操作されると、携帯ＴＶ受信中かを調べるが（図９のステップＳ３８）、いま、図４（Ｂ）に示すように携帯ＴＶ受信中であれば、ステップＳ３９に移り、「リモコンモード」のセット有無をチェックすると共に、「リモコンモード」であれば、「リモコンモード（０）」かをチェックする（ステップＳ４０）。いま、リモコンキーＫ２の操作後には、リモコン未指示状態を示す「リモコンモード（０）」にセットされているので、ステップＳ４１に移り、「リモコンモード（０）」から「リモコンモード（１）」に切り替える。そして、リモコン用赤外線通信部２３を駆動させ、電源ＯＮ信号を赤外線送信させたのち（ステップＳ４２）、外部受信装置２からの応答待ち状態となる（ステップＳ４３）。なお、外部受信装置２側では、携帯電話装置１からの電源ＯＮ信号を受信すると、それに応答して電源オン処理を実行し、準備完了通知を返信するようにしている。
【００４８】
外部受信装置２から準備完了応答を受け取ると（ステップＳ４３でＹＥＳ）、現在受信中の「携帯ＴＶチャンネル」を読み出し、このチャンネル信号を赤外線送信する（ステップＳ４４）。なお、外部受信装置２側では、携帯電話装置１からチャンネル信号を受信すると、それに応答してチャンネル設定処理を実行し、チャンネル完了通知を返信する。ここで、外部受信装置２からチャンネル完了通知を受け取ると（ステップＳ４５でＹＥＳ）、現在のＴＶ出力モードを退避記憶させたのち（ステップＳ４６）、新たなＴＶ出力モードとして「データ放送モード」を選択すると共に、ＴＶ放送受信部２１から「携帯ＴＶチャンネル」のデータ放送内容を取得し、携帯表示部ＭＤから表示させる（ステップＳ４７）。そして、機能名表示部ＦＤの表示内容は、「リモコンモード（１）」となり、「−ＣＨ」、「電源ＯＦＦ」、「＋ＣＨ」が表示され、決定キーＫ４は電源オフキーとして機能することが明示される（ステップＳ４８）。
【００４９】
これによって携帯画面の内容は、例えば、図４（Ｃ）に示す状態となる。このように「リモコンモード（０）」下での決定キーＫ４の操作で外部受信装置２に対して電源ＯＮ信号を送信した際に、ＴＶ出力モードは「データ放送モード」に切り替えられる。この場合、決定キーＫ４の操作時に携帯ＴＶ受信中か否かを判別し、受信中であれば、この受信中のチャンネルは赤外線送信される。
【００５０】
一方、携帯ＴＶオフ状態で決定キーＫ４が操作されたときには（図９のステップＳ３８でＮＯ）、図１０のステップＳ５５に移り、「リモコンモード」のセット有無をチェックするが、リモコンキーＫ２の操作後にはリモコン未指示状態を示す「リモコンモード（０）」にセットされているので（ステップＳ５６でＹＥＳ）、「リモコンモード（０）」から「リモコンモード（１）」に切り替える（ステップＳ５７）。そして、電源ＯＮ信号を赤外線送信させたのち（ステップＳ５８）、外部受信装置２から準備完了応答を受け取ると（ステップＳ５９でＹＥＳ）、予めデフォルトチャンネルとして設定されている「リモコンチャンネル」を読み出し、このチャンネル信号を赤外線送信する（ステップＳ６０）。
【００５１】
ここで、外部受信装置２からチャンネル完了通知を受け取ると（ステップＳ６１でＹＥＳ）、この「リモコンチャンネル」を携帯表示部ＭＤから案内表示させると共に（ステップＳ６２）、機能名表示部ＦＤの表示内容は、「リモコンモード（１）」となり、「−ＣＨ」、「電源ＯＦＦ」、「＋ＣＨ」が表示され、決定キーＫ４は電源オフキーとして機能することが明示される（ステップＳ６３）。これによって携帯画面の内容は、例えば、図５（Ｂ）に示す状態となる。
【００５２】
なお、「リモコンモード（０）」においてＴＶキーＫ１が操作された場合には、図６のステップＳ７に移り、上述した場合と同様、ＴＶ放送受信部２１を駆動させると共に前回選択されていた「携帯ＴＶチャンネル」を読み出し、このチャンネルのＴＶ放送受信を開始する（ステップＳ７）。そして、ＴＶ出力モードとして「映像・音声モード」を選択したのち、放送受信内容を携帯表示部ＭＤから表示出力させる（ステップＳ８）。
【００５３】
次に、「リモコンモード（１）」下における動作を左右カーソルキーＫ３が操作された場合、ＴＶキーＫ１が操作された場合、決定キーＫ４が操作された場合に分けてそれぞれ説明する。
この「リモコンモード（１）」においてはリモコン操作で指示したチャンネルの放送内容が外部受信装置２側で受信出力されている。この状態において、携帯電話装置１側でチャンネルを変更するために左右カーソルキーＫ３が操作されると、図８のステップＳ２３に移り、携帯ＴＶ受信中であるかを調べる。ここで、ＴＶ受信中であれば、「リモコンモード（１）」のセット有無をチェックするが（ステップＳ２４）、いま、「リモコンモード（１）」にセットされているので、ステップＳ２５に移り、左右カーソルキーＫ３の操作に応答して「携帯ＴＶチャンネル」の内容を「＋１」／「−１」させてその値を更新させる。
【００５４】
そして、この新たな「携帯ＴＶチャンネル」を示す選択チャンネル信号を赤外線送信したのち（ステップＳ２６）、外部受信装置２からチャンネル完了通知を受け取ると（ステップＳ２７でＹＥＳ）、この新たな「携帯ＴＶチャンネル」のＴＶ放送受信を開始する（ステップＳ２８）。そして、ＴＶ出力モードとして「データ放送モード」を選択すると共に、ＴＶ放送受信部２１から新たな「携帯ＴＶチャンネル」のデータ放送内容を取得し、携帯表示部ＭＤから表示出力させる（ステップＳ２９）。
【００５５】
これによって携帯画面の内容は、例えば、図４（Ｄ）に示す状態となり、携帯表示部ＭＤには、新たなチャンネルのデータ放送内容が表示され、また、ガイダンス表示部ＭＤＧには、新たなチャンネル情報が表示される。以下、携帯ＴＶ受信中に左右カーソルキーＫ３が操作される毎に、上述の動作が繰り返される。すなわち、「リモコンモード（１）」下で左右のカーソルキーＫ３が操作されると、携帯ＴＶ受信中か否かを判別し、受信中にチャンネル選択指示があった場合には、選択チャンネルを赤外線送信するほか、その選択チャンネルのデータ放送内容を携帯表示部ＭＤに切り替え表示させる。
【００５６】
また、携帯ＴＶオフ状態において外部受信装置２側のチャンネルを変更するために、左右カーソルキーＫ３が操作されると、図８のステップＳ３３に移り、「リモコンモード（１）」のセット有無をチェックするが、いま、「リモコンモード（１）」にセットされているので、ステップＳ３４に移り、左右カーソルキーＫ３の操作に応答して「リモコンチャンネル」の値を更新させる。そして、この新たな「リモコンチャンネル」を赤外線送信したのち（ステップＳ３５）、この新たな「リモコンチャンネル」を携帯表示部ＭＤから案内表示させる（ステップＳ３６）。これによって携帯画面の内容は、例えば、図５（Ｂ）の状態から図５（Ｃ）に示す状態に変更される。
【００５７】
一方、図５（Ｂ）あるいは（Ｃ）に示す状態において、ＴＶキーＫ１が操作されると（図６のステップＳ５でＹＥＳ）、「リモコンモード（１）」のセット有無をチェックするが（ステップＳ６）、いま、「リモコンモード（１）」にセットされているので、「リモコンモード（１）」で選択されたチャンネル（リモコンチャンネル）を読み出し、この「リモコンチャンネル」のＴＶ放送受信を開始したのち（ステップＳ９）、ＴＶ出力モードとして「データ放送モード」を選択すると共に、ＴＶ放送受信部２１から「リモコンチャンネル」のデータ放送内容を取得し、携帯表示部ＭＤから表示出力させる（ステップＳ１０）。
【００５８】
すなわち、ＴＶ放送受信部２１の起動時（ＴＶキーＫ１の操作時）には、外部受信装置２側のチャンネルをリモコン指示操作によって選択済みである否かを「リモコンモード（１）」のセット有無に基づいて判別し、「リモコンモード（１）」にセットされていれば、それと同一のチャンネルのデータ放送内容を携帯表示部ＭＤから出力させる。なお、「リモコンモード（１）」にセットされている状態では、外部受信装置２側の電源をオン時にデフォルトチャンネルが選択済みとなっているか、左右カーソルキーＫ３の操作によって任意のチャンネルが選択済みとなっている。
【００５９】
これによって携帯画面の内容は、例えば、図５（Ｄ）に示す状態となり、携帯表示部ＭＤには、リモコンチャンネルのデータ放送内容が表示され、また、ガイダンス表示部ＭＤＧには、そのチャンネル情報が表示される。なお、図５（Ｄ）に示すような携帯ＴＶ受信中において、チャンネル変更のために左右カーソルキーＫ３が操作されたときには、上述した場合と同様に、図８のステップＳ２５〜Ｓ２９が実行され結果、携帯表示部ＭＤには、新たなチャンネルのデータ放送内容が表示される。
【００６０】
一方、図４（Ｃ）あるいは（Ｄ）に示す状態において、決定キーＫ４が操作されると、つまり、携帯ＴＶ受信中での「リモコンモード（１）」において、決定キーＫ４が操作されると、図９のステップＳ５０に移り、電源ＯＦＦ信号を赤外線送信する。この場合、外部受信装置２側では、携帯電話装置１からの電源ＯＦＦ信号を受信すると、それに応答して電源オフ処理を実行し、オフ完了通知を返信する。ここで、外部受信装置２からのオフ完了応答を受け取ると（ステップＳ５１でＹＥＳ）、「リモコンモード」をリセットすると共に（ステップＳ５２）、上述のステップＳ４６で退避しておいたＴＶ出力モード（例えば、映像・音声モード）に復帰させ、携帯表示部ＭＤの表示内容を当該出力モードに応じた内容に切り替えるほか（ステップＳ５３）、リモコンモード表示を消去し、機能名表示部ＦＤの内容をＴＶモード表示に切り替える（ステップＳ５４）。これによって携帯画面の内容は、例えば、図４（Ａ）に示す状態に戻される。
【００６１】
このように決定キーＫ４の操作で電源ＯＮ信号を送信した際には、そのときのＴＶ出力モードを退避しておき（ステップＳ４６）、その後の決定キーＫ４の再操作で電源ＯＦＦ信号を送信してリモコンモードを解除した際には、ＴＶ出力モードを退避されている元の出力モードに戻し、その出力モードにしたがった放送受信内容を携帯表示部ＭＤから出力させる（ステップＳ５３）。
【００６２】
また、図５（Ｂ）あるいは（Ｃ）に示す状態において、つまり、携帯ＴＶオフ状態での「リモコンモード（１）」において、決定キーＫ４が操作されると、図１０のステップＳ６４に移り、電源ＯＦＦ信号を赤外線送信する。そして、外部受信装置２からの応答を受け取ると（ステップＳ６５でＹＥＳ）、「リモコンモード」をリセットすると共に（ステップＳ６６）、リモコンモード表示を消去する（ステップＳ６７）。
【００６３】
また、図５（Ｄ）に示す状態において、つまり、携帯ＴＶ受信中での「リモコンモード（１）」において、決定キーＫ４が操作されると、図９のステップＳ５０に移り、電源ＯＦＦ信号を赤外線送信したのち、外部受信装置２からの応答を受け取ると（ステップＳ５１でＹＥＳ）、「リモコンモード」をリセットすると共に（ステップＳ５２）、上述のステップＳ４６で退避しておいたＴＶ出力モードに復帰させ、携帯表示部ＭＤの表示内容を当該出力モードに応じた内容に切り替える（ステップＳ５３）。そして、リモコンモード表示を消去し、機能名表示部ＦＤの内容をＴＶモード表示に切り替える（ステップＳ５４）。これによって携帯画面の内容は、例えば、図４（Ａ）に示す状態に戻される。
【００６４】
以上のように、この実施例において携帯電話装置１は、リモコンモード下でチャンネル選択を指示する左右のカーソルキーＫ３が操作された際に、その選択チャンネルを外部受信装置２に対して赤外線送信するほか、この選択チャンネルのデータ放送内容を携帯表示部ＭＤから表示出力するようにしたので、ＴＶ放送受信部２１に対するチャンネル選択と外部受信装置２に対するチャンネル選択を兼ねることができるほか、外部受信装置２で放送内容を視聴しつつ、手元の携帯表示部ＭＤで同一チャンネルのデータ放送内容を確認することができる。
【００６５】
この場合、リモコンモード下においてチャンネル選択指示があった際に、携帯ＴＶ受信中か否かを判別し、受信中にチャンネル選択指示があった場合には、その選択チャンネルのデータ放送内容を携帯表示部ＭＤに切り替え表示することにより、リモコン操作によるチャンネル選択に連動して携帯表示部ＭＤの内容を当該選択チャンネルのデータ放送内容に切り替えることができ、携帯電話装置１側と外部受信装置２側のチャンネルを整合させるための操作が不要となり、操作性の高いものとなる。
【００６６】
携帯電話装置１は、リモコンモード下での決定キーＫ４の操作で外部受信装置２に対して電源ＯＮ信号を送信した際に、ＴＶ出力モードを「データ放送モード」に切り替えるようにしたので、外部受信装置２で放送内容の視聴開始に伴い、手元の携帯表示部ＭＤでそのデータ放送内容を確認することができる。
【００６７】
この場合、決定キーＫ４の操作で電源ＯＮ信号を送信した際に、そのときのＴＶ出力モードを退避しておき、その後の決定キーＫ４の再操作で電源ＯＦＦ信号を送信してリモコンモードを解除した際に、ＴＶ出力モードを退避されている元の出力モードに戻し、その出力モードにしたがった放送受信内容を携帯表示部ＭＤから出力することにより、リモコンモードの解除後は、引き続いて元の放送内容を視聴することができる。
【００６８】
決定キーＫ４の操作で電源ＯＮ信号を送信した際に、携帯ＴＶ受信中か否かを判別し、携帯ＴＶ受信中にリモコン指示操作で外部受信装置２の起動が指示された際には、受信中のチャンネルを外部受信装置２に赤外線送信してチャンネル切り替えを指示することにより、携帯電話装置１側と外部受信装置２側のチャンネルを整合させるための操作が不要となり、操作性の高いものとなる。
【００６９】
携帯電話装置１は、ＴＶ放送受信部２１の起動時（ＴＶキーＫ１操作時）に、外部受信装置２側のチャンネルをリモコン指示操作によって選択済みであれば、この選択済みチャンネルと同一のチャンネルのデータ放送内容を携帯表示部ＭＤから出力するようにしたので、ＴＶ放送受信部２１に対するチャンネル選択と外部受信装置２に対するチャンネル選択を兼ねることができるほか、外部受信装置２で放送内容を視聴しつつ、手元の携帯電話装置１で同一チャンネルのデータ放送内容を確認することができる。
【００７０】
ＴＶ放送受信部２１の起動時（ＴＶキーＫ１操作時）に、外部受信装置２側のチャンネルを選択済みでなければ、前回選択チャンネルの放送受信内容を携帯表示部ＭＤから出力させることができる。
【００７１】
なお、上述した実施例においては、リモコンモード下での決定キーＫ４の操作で外部受信装置２に対して電源ＯＮ信号を送信した際に、ＴＶ出力モードを「データ放送モード」に切り替えるようにしたが、チャンネル信号を送信した際に、ＴＶ出力モードを「データ放送モード」に切り替えるようにしてもよい。
【００７２】
また、上述した実施例においては、ＴＶ放送受信部２１の起動時に、外部受信装置２側のチャンネルを選択済みでなければ、前回選択チャンネルの放送受信内容を携帯表示部ＭＤから出力させるようにしたが、デフォルトチャンネルの放送受信内容を携帯表示部ＭＤから出力させるようにしてもよい。
【００７３】
上述した実施例においては、携帯画面にデータ放送内容を表示出力するようにしたが、データ放送内容を音声にて読み上げるようにしてもよい。
また、上述した実施例においては、外部受信装置２として、据置型のＴＶ受像機を示したが、ＴＶ受信機能付きのＰＣ（パーソナルコンピュータ）などであってもよい。更に、外部受信装置２としては他のＴＶ受信機能付き携帯電話装置であってもよい。
【００７４】
また、上述した実施例においては、外部受信装置２に対するリモコン指示信号を赤外線通信によって送信するようにしたが、Bluetooth通信方式によって送信するようにしてもよい。
また、リモコン機能は、ＴＶ用に限らず、例えば、空調機、オーディオ機器なども含めて遠隔制御するようにしてもよい。
その他、ＴＶ受信機能付きの携帯電話装置に限らず、例えば、ＴＶ受信機能付きのＰＤＡ・電子カメラ・電子腕時計・音楽再生機などの携帯端末装置であっても同様に適用可能である。
【図面の簡単な説明】
【００７５】
【図１】携帯端末装置として適用したＴＶ受信機能付き携帯電話装置１が外部受信装置２を赤外線通信によってリモート・コントロールする場合の状態図。
【図２】ＴＶ受信機能付き携帯電話装置１の基本的な構成要素を示したブロック図。
【図３】各種のチャンネル情報と各種の動作モードを説明するための図。
【図４】（Ａ）は、ＴＶキーＫ１の操作でＴＶ放送受信部２１を起動させた場合、（Ｂ）は、リモコンキーＫ２操作後の未リモコン指示状態、（Ｃ）は、携帯ＴＶ受信中に決定キーＫ４の操作で外部受信装置２側の電源をオンさせた場合、（Ｄ）は、（Ｃ）の状態でリモコン操作によって外部受信装置２側のチャンネルを切り替えた場合の携帯画面を示した図。
【図５】（Ａ）は、リモコンキーＫ２の操作でＴＶリモコン機能を起動させた場合、（Ｂ）は、決定キーＫ４の操作で外部受信装置２側の電源をオンした場合、（Ｃ）は、（Ｂ）の状態でリモコン操作によって外部受信装置２側のチャンネルを切り替えた場合、（Ｄ）は、「リモコンモード（１）」の状態でＴＶキーＫ１を操作した場合の携帯画面を示した図。
【図６】電源投入に伴って実行開始される携帯電話装置の全体動作を示したフローチャート。
【図７】図６に続く、フローチャート。
【図８】図６に続く、フローチャート。
【図９】図６に続く、フローチャート。
【図１０】図９に続く、フローチャート。
【符号の説明】
【００７６】
１  携帯電話装置
１Ａ  操作部筐体
１Ｂ  表示部筐体  
２  外部受信装置
１１  ＣＰＵ
１２  記憶部
２１  ＴＶ放送受信部
２３  リモコン用赤外線通信部  
Ｒ１  赤外線発光部
Ｒ２  赤外線受光部
ＭＤ  携帯表示部  
ＦＤ  機能名表示部
Ｋ１  ＴＶキー
Ｋ２  リモコンキー
Ｋ３  カーソルキー
Ｋ４  決定キー
【図１】
2008103868.tif 000003
【図２】
2008103868.tif 000004
【図３】
2008103868.tif 000005
【図４】
2008103868.tif 000006
【図５】
2008103868.tif 000007
【図６】
2008103868.tif 000008
【図７】
2008103868.tif 000009
【図８】
2008103868.tif 000010
【図９】
2008103868.tif 000011
【図１０】
2008103868.tif 000012